【手続補正書】
【提出日】平成20年4月25日(2008.4.25)
【手続補正１】
【補正対象書類名】明細書
【補正対象項目名】特許請求の範囲
【補正方法】変更
【補正の内容】
【特許請求の範囲】
【請求項１】  第１の金融サービスプロバイダー（ＦＳＰ）に口座を有する売り手へ第２のＦＳＰに口座を有する買い手から支払を送金する方法であって、第１のＦＳＰは、第１のＦＳＰに第１の口座を所有し、第２のＦＳＰは、第２のＦＳＰに第２の口座を所有する方法において、
前記第１のＦＳＰが所有する第２のコレスポンデント口座を第２のＦＳＰに開設する工程と、
前記買い手の口座から支払を振出すと共にこれに対応して前記第２の口座に前記支払を振込む工程と、
前記第２の口座から支払を振出すと共にこれに対応して前記第２のコレスポンデント口座に前記支払を振込む工程と、
確証メッセージを前記第１のＦＳＰに送付し、前記支払が前記第２のコレスポンデント口座に送金されたことを前記第１のＦＳＰに通知すると共に、前記送金された支払に相当する資金を前記売り手の口座に振込むよう要求する工程とを含む方法。
【請求項２】  前記第１のＦＳＰは、前記第１の口座から前記支払を振出すと共にこれに対応して前記メッセージを受取って前記売り手の口座に前記支払を振込む工程を実施する請求項１に記載の方法。
【請求項３】  前記第２のＦＳＰが所有する第１のコレスポンデント口座を第１のＦＳＰに開設する工程を更に行う請求項１に記載の方法。
【請求項４】  少なくとも前記第１のＦＳＰから前記第１のＦＳＰによる前記確証メッセージを受けたことを示す確認通知を受ける工程を更に含む請求項１に記載の方法。
【請求項５】  少なくとも前記支払が前記売り手の口座に振込まれたことを示す確認通知を受ける工程を更に含む請求項１に記載の方法。
【請求項６】  前記買い手、前記売り手、前記第１のＦＳＰ及び前記第２のＦＳＰの少なくとも１つにより手数料を決定する工程を少なくとも１つ含む請求項１に記載の方法。
【請求項７】  前記買い手の口座は、クレジットカード、デビットカード、ＦＳＰのカード及び支払いカードの１つを含む請求項１に記載の方法。
【請求項８】  前記売り手の口座は、クレジットカード、デビットカード、ＦＳＰのカード及び支払いカードの１つを含む請求項１に記載の方法。
【請求項９】  第１の金融サービスプロバイダー（ＦＳＰ）に口座を有する売り手へ第２のＦＳＰに口座を有する買い手から支払を送金する方法であって、
前記第１のＦＳＰが所有する第２のコレスポンデント口座を前記第２のＦＳＰに開設する工程と、
前記買い手の口座から支払を振出すと共にこれに対応して前記第２のコレスポンデント口座に支払を振込む工程と、
確証メッセージを前記第１のＦＳＰに送付することで、前記支払が前記第２のコレスポンデント口座に送金されたことを前記第１のＦＳＰに通知すると共に、前記送金された支払に相当する資金を売り手の口座に振込むよう要求する工程からなる方法。
【請求項１０】  前記第１のＦＳＰは、前記第１のＦＳＰに第１の口座を所有して、前記第１の口座から前記支払を振出すと共にこれに対応して前記確証メッセージを受取って前記売り手の口座に前記支払を振込む工程を実施する請求項９に記載の方法。
【請求項１１】  前記第２のＦＳＰが所有する第１のコレスポンデント口座を第１のＦＳＰに開設する工程を更に含む請求項９に記載の方法。
【請求項１２】  前記第１のＦＳＰによる前記確証メッセージを受けたことを示す確認通知を前記第１のＦＳＰから受領する工程を更に含む請求項９に記載の方法。
【請求項１３】  前記第１のＦＳＰの前記売り手の口座への振込みが行われたことを示す確認通知を前記第１のＦＳＰから受領する工程を更に含む請求項９に記載の方法。
【請求項１４】  前記買い手、前記売り手、前記第１のＦＳＰ及び前記第２のＦＳＰの少なくとも１つにより手数料を決定する少なくとも１つの工程を更に含む請求項９に記載の方法。
【請求項１５】  前記買い手の口座は、クレジットカード、デビットカード、ＦＳＰのカード或いは支払いカードの１つを含む請求項９に記載の方法。
【請求項１６】  前記売り手の口座は、クレジットカード、デビットカード、ＦＳＰのカード或いは支払いカードの１つを含む請求項９に記載の方法。
【請求項１７】  第１の金融サービスプロバイダー（ＦＳＰ）に口座を有する売り手へ第２のＦＳＰに口座を有する買い手から支払を送金する方法であって、第２のＦＳＰは、第２のＦＳＰに第２の口座を所有する方法において、
前記第２のＦＳＰが所有する第１のコレスポンデント口座を第１のＦＳＰに開設する工程と、
前記買い手の口座から支払を振出すと共にこれに対応して前記第２の口座に前記支払を振込む工程と、
確証メッセージを前記第１のＦＳＰに送付すると共に、前記第１のＦＳＰに前記第１のコレスポンデント口座から前記支払を振出すと共にこれに対応して前記売り手の口座に前記支払を振込むよう通知する工程を含む方法。
【請求項１８】  前記第１のＦＳＰが所有する第２のコレスポンデント口座を前記第２のＦＳＰに開設する工程を更に含む請求項１７に記載の方法。
【請求項１９】  前記第１のＦＳＰは、前記第１のコレスポンデント口座から前記支払を振出すと共にこれに対応して前記メッセージを受取って前記売り手の口座に前記支払を振込む工程を更に行う請求項１７に記載の方法。
【請求項２０】  少なくとも前記第１のＦＳＰによる前記確証メッセージを受けたことを示す確認通知を前記第１のＦＳＰから受ける工程を更に含む請求項１７に記載の方法。
【請求項２１】  少なくとも前記売り手の口座に振込みが行われたことを示す確認通知を前記第１のＦＳＰから受ける工程を更に含む請求項１７に記載の方法。
【請求項２２】  前記買い手、前記売り手、前記第１のＦＳＰ及び前記第２のＦＳＰの少なくとも１つにより手数料が決定される工程を少なくとも１つ含む請求項１７に記載の方法。
【請求項２３】  前記買い手の口座は、クレジットカード、デビットカード、ＦＳＰのカード或いは支払いカードの１つを含む請求項１７に記載の方法。
【請求項２４】  前記売り手の口座は、クレジットカード、デビットカード、ＦＳＰのカード或いは支払いカードの１つを含む請求項１７に記載の方法。
【請求項２５】  所定の金融サービスプロバイダー（ＦＳＰ）を介して第１のＦＳＰに口座を有する売り手へ第２のＦＳＰに口座を有する買い手から支払を送金する方法であって、前記所定の金融サービスプロバイダーは、前記第１のＦＳＰ用の第１の口座と前記第２のＦＳＰ用の第２の口座とを管理する方法において、
前記買い手の口座から前記支払を振出す工程と、
第１の確証メッセージを前記所定の金融サービスプロバイダーに送付すると共に、前記第２の口座から前記支払を振出すと共にこれに対応して前記第１の口座に前記支払を振込むよう前記所定の金融サービスプロバイダーに指示する工程と、
前記第１のＦＳＰから第２の確証メッセージを受け、前記支払が前記売り手の口座へ転送されたことを前記第２のＦＳＰに通知する工程を含む方法。
【請求項２６】  前記所定の金融サービスプロバイダーは、更に、前記支払の前記第１の口座への振込を前記第１のＦＳＰに確実に通知する工程を行う請求項２５に記載の方法。
【請求項２７】  前記第１のＦＳＰは、更に、前記売り手の口座に前記支払の振込を行うと共に、前記第２の確証メッセージを前記第２のＦＳＰに送付する工程を行う請求項２５に記載の方法。
【請求項２８】  前記所定のＦＳＰは、セントラルナショナルバンク及びフェデラルリザーブバンクの１つを含む請求項２５に記載の方法。
【請求項２９】  前記所定のＦＳＰは、クレジットカード、デビットカード、銀行のカード或いは支払いカードの少なくとも１つの発行者を含む請求項２５に記載の方法。
【請求項３０】  前記買い手、前記売り手、前記第１のＦＳＰ及び前記第２のＦＳＰの少なくとも１つにより手数料を決定する工程を少なくとも１つ含む請求項２５に記載の方法。
【請求項３１】  前記買い手の口座は、クレジットカード、デビットカード、ＦＳＰのカード或いは支払いカードの１つを含む請求項２５に記載の方法。
【請求項３２】  前記売り手の口座は、クレジットカード、デビットカード、ＦＳＰのカード或いは支払いカードの１つを含む請求項２５に記載の方法。
【請求項３３】  第１のＦＳＰに存在する買い手の口座から第２のＦＳＰに存在する売り手の口座へ買い手が支払を送金する際に機関が仲介する方法であって、前記機関は前記第１のＦＳＰ用の第１の口座と前記第２のＦＳＰ用の第２の口座とを管理する方法において、
前記第１の口座から前記支払を振出すと共にこれに対応して前記第２の口座に前記支払を振込むよう金融サービスプロバイダーに対し指示する第１の確証メッセージを第１のＦＳＰから受ける工程と、
前記第１の確証メッセージを受領した後、前記第１の口座から前記支払を振出すと共にこれに対応して前記第２の口座に前記支払を振込む工程と、
前記第２のＦＳＰに第２の確証メッセージを送付すると共に、前記第２の口座への前記支払の振込を前記第２のＦＳＰに通知することに加え、これに対応し前記売り手の口座に前記支払の振込を行うよう前記第２のＦＳＰに指示する工程を含む方法。
【請求項３４】  前記機関は、セントラルナショナルバンク及びフェデラルリザーブバンクの１つを含む請求項３３に記載の方法。
【請求項３５】  前記機関は、クレジットカード、デビットカード、銀行のカード或いは支払いカードの少なくとも１つの発行者を含む請求項３３に記載の方法。
【請求項３６】  前記買い手、前記売り手、前記第１のＦＳＰ及び前記第２のＦＳＰの少なくとも１つにより手数料を決定する工程を少なくとも１つ含む請求項３３に記載の方法。
【請求項３７】  前記買い手の口座は、クレジットカード、デビットカード、ＦＳＰのカード或いは支払いカードの１つを含む請求項３３に記載の方法。
【請求項３８】  前記売り手の口座は、クレジットカード、デビットカード、ＦＳＰのカード或いは支払いカードの１つを含む請求項３３に記載の方法。
【請求項３９】  第１のＦＳＰに存在する買い手の口座から第２のＦＳＰに存在する売り手の口座へ支払をカード発行機関が送金する方法であって、前記第１のＦＳＰと前記第２のＦＳＰの各々は、前記カード発行機関用のコレスポンデント口座を管理する方法において、
前記買い手の口座から前記支払を振出すと共にこれに対応して前記第１のＦＳＰに存在する前記カード発行機関のコレスポンデント口座へ前記支払を振込む工程と、
前記第１のＦＳＰに存在する前記カード発行機関のコレスポンデント口座への前記支払の振込が行われたことを前記第２のＦＳＰに通知する第１の確証メッセージを前記第２のＦＳＰに送付する工程と、
前記第２のＦＳＰに存在する前記カード発行機関のコレスポンデント口座からの前記支払の振出が行われ且つ売り手の口座への振込が行われたことを前記第１のＦＳＰに通知する第２の確証メッセージを前記第２のＦＳＰから受領する工程を含む方法。
【請求項４０】  第１のＦＳＰに買い手の口座を所有する買い手から第２のＦＳＰに売り手の口座を所有する売り手へ支払をカード発行機関が送金する方法であって、前記第１のＦＳＰと前記第２のＦＳＰの各々は、前記カード発行機関用のコレスポンデント口座を管理する方法において、
前記買い手の口座から前記支払が振出され、前記第１のＦＳＰに存在する前記カード発行機関のコレスポンデント口座へ前記支払が振込まれたことを示す第１の確証メッセージを前記第１のＦＳＰから受領する工程と、
前記第１の確証メッセージの受領に応答し、前記第２のＦＳＰに存在する前記カード発行機関のコレスポンデント口座から前記支払の振出を行うと共にこれに対応して、前記売り手の口座へ前記支払の振込を行う工程と、
前記売り手の口座への前記支払の振込が行われたことを前記第１のＦＳＰに通知する第２の確証メッセージを前記第１のＦＳＰに送付する工程を含む方法。